(57)【特許請求の範囲】
【請求項１】
給水源からの水を供給する給水弁と、
前記給水弁から分岐された一方の管路に接続されて前記水を流水する第１の弁と、
前記給水弁から分岐された他方の管路に接続されて前記水を流水する第２の弁とを備え、前記給水弁、第１及び第２の弁が、前記第１の弁、前記給水弁及び前記第２の弁の順に高い位置から配設された管路切換えユニットであって、
前記第２の弁が閉じられ、かつ、前記給水源からの水が前記給水弁及び第１の弁を通じて流水されている状態において、
前記給水弁、第１及び第２の弁を開閉制御する制御手段が、前記給水源からの水供給を停止する入力により、前記給水弁を閉じた後に、前記第２の弁を開き、所定時間経過後、前記第１の弁を閉じる制御を実行することを特徴とする管路切換えユニット。
【請求項２】
前記第１、第２の弁及び前記給水弁には電磁弁が使用されることを特徴とする請求項１に記載の管路切換えユニット。
【請求項３】
給湯器と、
前記給湯器より供給される温水の管路を切換える管路切換えユニットと、
前記管路切換えユニットを開閉制御する制御手段とを備え、
前記管路切換えユニットは、
前記給湯器からの温水を供給する給湯弁と、
前記給湯弁から分岐された一方の管路に接続されて前記温水を噴出するミストノズル弁と、
前記給湯弁から分岐された他方の管路に接続されて前記温水を流水する排水弁とを有し、
前記給湯弁、ミストノズル弁及び前記排水弁が、当該ミストノズル弁、前記給湯弁及び前記排水弁の順に高い位置から配設され、
前記管路切換えユニットの排水弁が閉じられ、かつ、前記給湯器からの温水が前記管路切換えユニットの給湯弁及びミストノズル弁を通じて噴出されている状態において、
前記制御手段が、
前記給湯器からの温水供給を停止する入力により、前記管路切換えユニットの給湯弁を閉じた後に、前記管路切換えユニットの排水弁を開き、所定時間経過後、前記管路切換えユニットのミストノズル弁を閉じる制御を実行することを特徴とする給湯システム。
【請求項４】
前記管路切換えユニットには、電磁弁ユニットが使用されることを特徴とする請求項３に記載の給湯システム。
【請求項５】
天井又は壁にミストノズルが取り付けられてなる室において、
給湯器より供給される温水の管路を前記ミストノズル又は／及び排水管路に切換える管路切換えユニットと、
前記管路切換えユニットを開閉制御する制御手段とを備え、
前記管路切換えユニットは、
前記給湯器からの温水を供給する給湯弁と、
前記給湯弁から分岐された一方の管路に接続されて前記温水を噴出するミストノズル弁と、
前記給湯弁から分岐された他方の管路に接続されて前記温水を流水する排水弁とを有し、
前記給湯弁、前記ミストノズル弁及び前記排水弁が、当該ミストノズル弁、前記給湯弁及び前記排水弁の順に高い位置から配設され、
前記管路切換えユニットの排水弁が閉じられ、かつ、前記給湯器からの温水が当該管路切換えユニットの給湯弁及びミストノズル弁を通じて噴出されている状態において、
前記制御手段が、
前記給湯器からの温水供給を停止する入力により、前記管路切換えユニットの給湯弁を閉じた後に、前記管路切換えユニットの排水弁を開き、所定時間経過後、前記管路切換えユニットのミストノズル弁を閉じる制御を実行することを特徴とする室。
【請求項６】
前記管路切換えユニットには、電磁弁ユニットが使用されることを特徴とする請求項５に記載の室。
【請求項７】
前記管路切換えユニットは、
前記天井の裏側、壁面、床面又は室外に設置されることを特徴とする請求項５に記載の室。
【発明の詳細な説明】
【技術分野】
【０００１】
この発明は、給湯器より供給される温水又は水を噴出する浴室ユニットに適用して好適な管路切換えユニット、給湯システム及びこれらを応用した室に関する。詳しくは、給湯弁、ミストノズル弁及び排水弁を開閉制御する制御手段を備え、排水弁が閉じられ、かつ、給湯器からの温水が給湯弁及びミストノズル弁を通じて噴出されている状態において、給湯器からの温水供給を停止する入力により、給湯弁を閉じた後に、排水弁を開き、その後、ミストノズル弁を閉じる制御を実行して、管路内の温水を排水できるようにすると共に、ミストノズル弁からの水ダレや、管路内の残水等を防止できるようにしたものである。
【背景技術】
【０００２】
従来より、温水をミストとして浴室内へ噴出したり、浴室内の暖房を行うミストサウナ装置等と称される装置が提案されている（例えば、特許文献１参照）。
【０００３】
ミストサウナ装置は、単数もしくは複数のミストノズルを浴室の壁面等に備え、給湯器から供給された温水をミストにして浴室内に噴出するものである。
【０００４】
【特許文献１】特公平６−５９３０１号公報
【発明の開示】
【発明が解決しようとする課題】
【０００５】
しかし、従来例に係るミストサウナ装置によれば、次のような問題がある。  
ｉ．特許文献１に見られるようなミストサウナ装置によれば、ミスト使用後に、配管内に残水が生じる場合が多い。特に、ミストサウナ装置が排水構造を具備しない場合は、ミスト運転停止後の配管内に残水が貯留される。従って、長期に渡って、ミストサウナ装置を使用しない場合等において、配管内に貯留された残水が腐敗して、非常に不衛生となるおそれがある。
【０００６】
ii．また、排水構造を具備したミストサウナ装置においても、給湯弁からミストノズルに至る配管や、給湯弁から排水弁に至る配管の高低差、バルブ制御のタイミングによって、配管内に残水を生じたり、ミストノズルの先端から液ダレするおそれがある。
【０００７】
そこで、本発明は、上述の課題に鑑み創作されたものであり、給湯弁閉後の管路内の温水を排水できるようにすると共に、ミストノズル弁からの水ダレや、管路内の残水等を防止できるようにした管路切換えユニット、給湯システム及びこれらを応用した室を提供することにある。
【課題を解決するための手段】
【０００８】
この発明に係る管路切換えユニットは、給水源からの水を供給する給水弁と、この給水弁から分岐された一方の管路に接続されて水を流水する第１の弁と、給水弁から分岐された他方の管路に接続されて水を流水する第２の弁とを備え、給水弁、第１及び第２の弁が、第１の弁、給水弁及び第２の弁の順に高い位置から配設された管路切換えユニットであって、第２の弁が閉じられ、かつ、給水源からの水が給水弁及び第１の弁を通じて流水されている状態において、給水弁、第１及び第２の弁を開閉制御する制御手段が給水源からの水供給を停止する入力により、給水弁を閉じた後に、第２の弁を開き、所定時間経過後、第１の弁を閉じる制御を実行することを特徴とするものである。
【０００９】
本発明に係る管路切換えユニットによれば、給水弁は、給水源からの水を供給するように制御される。第１の弁は、給水弁から分岐された一方の管路に接続されており、給水弁からの水を流水するように制御される。第２の弁は、給水弁から分岐された他方の管路に接続されており、給水弁からの水を流水するように制御される。給水弁、第１及び第２の弁は、第１の弁、給水弁及び第２の弁の順に高い位置から配設されている。これらを前提にして、制御手段は、第２の弁が閉じられ、かつ、給水源からの水が給水弁及び第１の弁を通じて排水されている状態において、給水源からの水供給を停止する入力により、給水弁を閉じた後に、第２の弁を開き、所定時間経過後、第１の弁を閉じる制御を実行する。
【００１０】
この制御によって、管路内の水を第２の弁を通じて流水することができ、しかも、排水した分の空気を第１の弁から引き込むので、第１の弁からの水ダレがなくなり、管路内の残水を防止できるようになる。
【００１１】
本発明に係る給湯システムは、給湯器と、この給湯器より供給される温水の管路を切換える管路切換えユニットと、管路切換えユニットを開閉制御する制御手段とを備え、管路切換えユニットは、給湯器からの温水を供給する給湯弁と、この給湯弁から分岐された一方の管路に接続されて温水を噴出するミストノズル弁と、給湯弁から分岐された他方の管路に接続されて温水を流水する排水弁とを有し、給湯弁、ミストノズル弁及び排水弁が、当該ミストノズル弁、給湯弁及び排水弁の順に高い位置から配設され、管路切換えユニットの排水弁が閉じられ、かつ、給湯器からの温水が当該管路切換えユニットの給湯弁及びミストノズル弁を通じて噴出されている状態において、制御手段が、給湯器からの温水供給を停止する入力により、管路切換えユニットの給湯弁を閉じた後に、管路切換えユニットの排水弁を開き、所定時間経過後、管路切換えユニットのミストノズル弁を閉じる制御を実行することを特徴とするものである。
【００１２】
本発明に係る給湯システムによれば、本発明に係る管路切換えユニットが応用される。これを前提にして、給湯弁は、給湯器からの温水をミストノズル弁や排水弁へ供給するように制御される。ミストノズル弁は、給湯弁から分岐された一方の管路に接続されており、給湯弁からの水を噴出するように制御される。排水弁は、給湯弁から分岐された他方の管路に接続され、温水を流水するように制御される。給湯弁、ミストノズル弁及び排水弁は、当該ミストノズル弁、給湯弁及び排水弁の順に高い位置から配設されている。制御手段は、排水弁が閉じられ、かつ、給湯器からの水がミストノズル弁を通じて排水されている状態において、給湯器からの温水の供給停止入力により、給湯弁を閉じた後に、排水弁を開き、所定時間経過後、ミストノズル弁を閉じる制御を実行する。
【００１３】
この制御によって、給湯弁閉後の管路内の温水を排水弁を通じて流水することができ、しかも、排水した分の空気をミストノズル弁から引き込むので、ミストノズル弁からの水ダレがなくなり、管路内の残水を防止できるようになる。
【００１４】
本発明に係る管路切換えユニットを応用した室は、天井又は壁にミストノズルが取り付けられてなる室において、給湯器より供給される温水の管路をミストノズル又は／及び排水管路に切換える管路切換えユニットと、この管路切換えユニットを開閉制御する制御手段とを備え、管路切換えユニットは、給湯器からの温水を供給する給湯弁と、この給湯弁から分岐された一方の管路に接続されて温水を噴出するミストノズル弁と、給湯弁から分岐された他方の管路に接続されて温水を流水する排水弁とを有し、給湯弁、ミストノズル弁及び排水弁が、当該ミストノズル弁、給湯弁及び排水弁の順に高い位置から配設され、管路切換えユニットの排水弁が閉じられ、かつ、給湯器からの温水がミストノズル弁を通じて噴出されている状態において、制御手段が給湯器からの温水の供給停止入力により、給湯弁を閉じた後に、排水弁を開き、所定時間経過後、ミストノズル弁を閉じる制御を実行することを特徴とするものである。
【００１５】
本発明に係る室によれば、本発明に係る管路切換えユニットが応用される。これを前提にして、給湯弁は、給湯器からの温水をミストノズル弁や排水弁へ供給するように制御される。ミストノズル弁は、給湯弁から分岐された一方の管路に接続されており、給湯弁からの水を噴出するように制御される。排水弁は、給湯弁から分岐された他方の管路に接続され、温水を流水するように制御される。給湯弁、ミストノズル弁及び排水弁は、当該ミストノズル弁、給湯弁及び排水弁の順に高い位置から配設されている。制御手段は、排水弁が閉じられ、かつ、給湯器からの水がミストノズル弁を通じて排水されている状態において、給湯器からの温水の供給停止入力により、給湯弁を閉じた後に、排水弁を開き、所定時間経過後、ミストノズル弁を閉じる制御を実行する。
【００１６】
この制御によって、給湯弁閉後の管路内の温水を排水弁を通じて流水することができ、しかも、排水した分の空気をミストノズル弁から引き込むので、ミストノズル弁からの水ダレがなくなり、管路内の残水を防止できるようになる。
【発明の効果】
【００１７】
本発明に係る管路切換えユニットによれば、給水弁、第１及び第２の弁が、第１の弁、給水弁及び第２の弁の順に高い位置から配設され、これらの弁を開閉制御する制御手段を備え、この制御手段は、第２の弁が閉じられ、かつ、給水源からの水が第１の弁を通じて流水されている状態において、給湯器からの温水の供給停止入力により、給水弁を閉じた後に、第２の弁を開き、所定時間経過後、第１の弁を閉じる制御を実行するものである。
【００１８】
この構成によって、管路内の水を第２の弁を通じて流水することができ、しかも、排水した分の空気を第１の弁から引き込むので、第１の弁からの水ダレがなくなり、配管や弁等の配置高低差に起因する管路内の残水を防止できる。
【００１９】
本発明に係る給湯システムによれば、本発明に係る管路切換えユニットが応用されるので、給湯弁閉後の管路内の温水を排水弁を通じて流水することができる。しかも、排水した分の空気をミストノズル弁から引き込むので、ミストノズル弁からの水ダレがなくなる。また、給湯弁からミストノズルに至る配管や、給湯弁から排水弁に至る配管の高低差に起因した残水や、従来方式のバルブ制御のタイミングによって配管内に生じていた残水等を防止できる。
【００２０】
本発明に係る室によれば、本発明に係る管路切換えユニットが応用されるので、給湯弁閉後の管路内の温水を排水弁を通じて流水することができる。しかも、排水した分の空気をミストノズル弁から引き込むので、ミストノズル弁からの水ダレがなくなる。また、給湯弁からミストノズルに至る配管や、給湯弁から排水弁に至る配管の高低差に起因した残水や、従来方式のバルブ制御のタイミングによって配管内に生じていた残水等を防止できる。
【発明を実施するための最良の形態】
【００２１】
以下、図面を参照しながら、この発明の実施の形態に係る管路切換えユニット、給湯システム及びこれらを応用した室について説明をする。
【実施例１】
【００２２】
図１は、本発明に係る第１の実施例としての浴室システム１の構成例を示す断面の概念図である。
【００２３】
＜浴室システムの全体＞
図１に示す浴室システム１は給湯システムの一例を構成し、本発明に係る管路切換えユニットが応用される。この浴室システム１は、ミスト発生装置２、浴室空調装置３及びヒートポンプ式の給湯装置４を備えて構成されている。ミスト発生装置２は、浴室１０１の天井に配設され、霧状にした温水（ミスト）を浴室１０１内に噴出するようになされる。このミスト発生装置２は、給湯器や給水源等の一例を構成する給湯装置４より排出される温水又は水を利用してミスト又は霧状水を発生するものである。
【００２４】
ミスト発生装置２は、電磁弁ユニット２Ａ、電源部ユニット２Ｂ及びノズルユニット２Ｃから構成されている。電磁弁ユニット２Ａは管路切換えユニットの一例を構成し、ユニット内部には複数の電磁弁が設けられ、給湯装置４より排出される温水又は給水管からの水の供給先を切換えるようになされる。電磁弁ユニット２Ａは浴室１０１の天井裏に置かれるが、浴室１０１の天井に有する点検口１０１ａの近傍に配設される。
【００２５】
電磁弁ユニット２Ａには、給湯装置４から排出される温水又は水の供給を受けるための給水（給湯）配管２ａと、ノズルユニット２Ｃに温水を供給するためのノズル配管２ｂと、温水を排水するためのドレン配管２ｃとが接続されている。ドレン配管２ｃの開放端は、浴槽１０１ｂの下面に配置されたドレンパン１０１ｃに対向するようにされている。ここで、給水配管２ａは第１の温水路を構成し、ノズル配管２ｂは第２の温水路を構成し、ドレン配管２ｃは第３の温水路を構成している。
【００２６】
電磁弁ユニット２Ａには、制御手段の一例を構成する電源部ユニット２Ｂが接続されている。電源部ユニット２Ｂにはミスト操作部７が接続される。電源部ユニット２Ｂは、電磁弁ユニット２Ａと同様にして、浴室１０１の天井裏に配置され、当該ユニット内に設けられた複数の電磁弁をミスト操作部７からの操作指令に基づいて開閉制御を実行する。電磁弁ユニット２Ａにはノズルユニット２Ｃが接続され、浴室内に向けて配置されるノズルを備え、温水又は水によるミストを噴出するようになされる。ノズルユニット２Ｃは例えば、天井表面に取り付けられる。
【００２７】
浴室空調装置３も浴室１０１の天井に配設され、浴室１０１の暖房や換気等が行われる。浴室空調装置３の熱源として、当該浴室空調装置３に内蔵した電気ヒータが利用される。浴室空調装置３には換気ダクト８が接続され、この換気ダクト８には換気グリル８ａが接続される。換気グリル８ａは、排気口を有しており、浴室外部に排気口を向けて取り付けられる。
【００２８】
上述の電磁弁ユニット２Ａには、給湯装置４が接続され、冷媒ガスを圧縮して得られる熱源を利用して水を温めるようになされる。給湯装置４は、屋外に配置され、ミスト発生装置２及び浴室１０１等に温水を給湯し、又は水を供給するようになされる。給湯装置４からの温水は、洗面脱衣所１０２の洗面器の給湯栓１０２ａにも給湯される。
【００２９】
なお、ミスト発生装置２及び浴室空調装置３には、主操作部６及びミスト操作部７が接続され、これらの操作に基づいてミスト発生及び空調動作を実行する。主操作部６は、浴室空調装置３に内蔵された制御部（図１には図示せず）に電気ケーブル６ａで接続されたリモートコントロール（遠隔制御）装置である。この主操作部６（以下、「空調リモコン６」という）は、洗面脱衣所１０２の壁に取り付けられている。ミスト操作部７は、電源部ユニット２Ｂに内蔵された制御部（図１には図示せず）に電気ケーブル７ａで接続されたリモートコントロール装置である。このミスト操作部７（以下、「ミストリモコン７」という）は、浴室１０１の壁に取り付けられている。
【００３０】
また、浴室１０１内、例えば、浴室空調装置３のフロントパネル２６には、人体検出センサ６９Ａが取り付けられ、浴室利用者が浴室内に入室すると、それを検知して入室検知信号を出力するようになされる。この人体検出センサ６９Ａは、例えば赤外線センサを用いて構成されたものである（特開平１０−１４２３５１号公報参照）。
【００３１】
このように、管路切換えユニット及び給湯システムを応用した浴室システム１が構成される。以下で、電磁弁ユニット２Ａの内部構成例及びその制御例について説明する。
【００３２】
＜電磁弁ユニット＞
図２は、電磁弁ユニット２Ａの構成例を示す正面図である。図２に示す電磁弁ユニット２Ａは筐体２Ａ′を有している。この例で、筐体２Ａ′の一側面を開放すると、電磁弁ユニット内の電磁弁の配置が見られる構成となされている。
【００３３】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。この例で、電磁弁ユニット２１Ａを基準面の置いたとき、基準面からの高さＨ１には接続部２ｃ′が取り付けられ、基準面から高さＨ２には接続部２ａが取り付けられ、基準面から高さＨ３には接続部２ｂ′が取り付けられている。三者の高さの関係は、Ｈ３＞Ｈ２＞Ｈ１である。すなわち、３つの接続部２ａ′〜２ｃ′は、接続部２ａ′、接続部２ｂ′、接続部２ｃ′の順に高い位置から取り付けられる。
【００３４】
この例で、筐体２Ａ′の内側において、接続部２ａ′には給水弁又は給湯弁の一例となる給水又は給湯用の電磁弁２ｄが取り付けられ、給湯装置４からの水又は温水を供給するようになされる。この電磁弁２ｄから分岐された一方の配管２ｊには、第１の弁の一例となるミストノズル用の電磁弁２ｅが取り付けられ、水又は温水をノズルユニット２Ｃへ供給するようになされる。電磁弁２ｅの下流側（他端）は接続部２ｂ′に取り付けられる。
【００３５】
電磁弁２ｅよりも低い位置には、排水弁となる第２の弁の一例となる電磁弁２ｆが配設されると共に、電磁弁２ｄから分岐された他方の配管２ｋに取り付けられ、水を排水するようになされる。電磁弁２ｆの下流側（他端）は接続部２ｃ′に取り付けられる。つまり、接続部２ａ′には電磁弁２ｄの一端が接続され、この電磁弁２ｄの他端には配管２ｊを介して電磁弁２ｅの一端が接続される。この電磁弁２ｅの他端は接続部２ｂ′に接続される。さらに、配管２ｊから分岐された配管２ｋは、電磁弁２ｆの一端に接続され、この電磁弁２ｆの他端には接続部２ｃ′が接続される。
【００３６】
これにより、高さＨ１の接続部２ｃ′に接続された電磁弁２ｆと、高さＨ２で接続部２ａ′に接続された電磁弁２ｄと、高さＨ３で接続部２ｂ′に接続された電磁弁２ｅとの三者の高さの関係をＨ３＞Ｈ２＞Ｈ１とすることができる。すなわち、３つの電磁弁を電磁弁２ｅ、電磁弁２ｄ及び電磁弁２ｆの順に高い位置から配設することができる。
【００３７】
なお、電磁弁ユニット２Ａの内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる水（温水）の温度を検出して温度検出信号Ｓ７を出力するようになされる。温度検出信号Ｓ７は、温度検出センサ２ｈから電源部ユニット２Ｂへ出力される。
【００３８】
＜電源部ユニット＞
上述した電磁弁２ｄ、電磁弁２ｅ及び電磁弁２ｆには、電源部ユニット２Ｂが接続され、これらの電磁弁を個々に開閉制御するようになされる。例えば、電磁弁ユニット２Ａでは、電磁弁２ｆが閉じられ、かつ、給湯装置４からの温水Ｉが電磁弁２ｅを通じて噴出されている状態において、ミストリモコン７から温水Ｉの供給停止があったとき、例えば、ミスト停止信号Ｓ７が入力されたとき、電磁弁２ｄを閉じた後に、電磁弁２ｆを開き、その後、電磁弁２ｅを閉じる制御を実行する。
【００３９】
図３Ａ〜Ｃは、電磁弁ユニット２Ａの動作例を示す線図である。例えば、ミスト運転時は、図３Ａに示す給湯用の電磁弁２ｄが開くことで、給水配管２ａ（図１参照）からの温水Ｉが接続部２ａ′から電磁弁２ｄ及び配管２ｊを通じてミストノズル用の電磁弁２ｅに供給される。電磁弁２ｅを開くことで、温水Ｉが配管２ｊ、電磁弁２ｅ及び接続部２ｂ′を通じてノズル配管２ｂ（図１参照）に供給される。温水Ｉはミストノズルユニット２Ｃから噴出される。このとき、排水用の電磁弁２ｆは閉じたままである。因みに、電磁弁２ｆを開けると、温水Ｉは配管２ｋ、電磁弁２ｆ及び接続部２ｃ′を通じてドレン配管２ｃ（図１参照）に排水されてしまう。
【００４０】
また、ミスト運転停止後の排水制御時には、図３Ｂに示す電磁弁２ｄを閉じる。次に、電磁弁２ｆを開けることで、接続管２ｂ′からの残水（温水）IIが、配管２ｊ及び２ｋを通じて電磁弁２ｆを通じて排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水IIを電磁弁２ｆを通じてドレンパン１０１ｃへ排出することができる。
【００４１】
この例では、所定時間後、例えば、３秒後にミストノズル用の電磁弁２ｅが閉じると共に、排水用の電磁弁２ｆを閉じるように制御される。これにより、図３Ｃに示すように電磁弁ユニット内の全ての電磁弁２ｄ、２ｅ及び２ｆが閉じた状態となされる。次のミスト運転を待機するようになされる。
【００４２】
図４は、電源部ユニット２Ｂにおける制御例を示すフローチャートである。この例では、電源部ユニット２Ｂの図示しない読出し専用メモリには、ミスト運転停止後の排水制御に係るプログラム（以下制御プログラムという）が記述され、そのプログラムの中で所定時間ｔ＝３秒が設定されている場合を例に挙げる。
【００４３】
これを制御条件にして、図４に示すフローチャートのステップＳＴ１で電源部ユニット２Ｂは、停止命令を待機する。停止命令は、例えば、ミストリモコン７から電源部ユニット２Ｂへ、温水Ｉの供給停止を要求するミスト停止信号Ｓ７が出力することで通知される。
【００４４】
電源部ユニット２Ｂは、ミスト停止信号Ｓ７を入力すると、制御プログラムに基づいてステップＳＴ２で給湯用の電磁弁２ｄ＝ＯＦＦする。例えば、図示しない電磁弁駆動部を通じて電磁弁２ｄに印加されていた所定の駆動電圧を０［Ｖ］にしてバルブを閉状態となされる。
【００４５】
次に、電源部ユニット２Ｂは、制御プログラムに基づいてステップＳＴ３で排水用の電磁弁２ｆ＝ＯＮする。例えば、図示しない電磁弁駆動部を通じて電磁弁２ｄに所定の駆動電圧を印加してバルブを開状態となされる。その後、電源部ユニット２Ｂは、ステップＳＴ４でｔ時間（＝３秒）を経過したかを判別する。この例では、ｔ＝３秒を待ってステップＳＴ５に移行する。ｔ＝３秒を経過しない場合は、そのまま待機する。
【００４６】
そして、電源部ユニット２Ｂは、ステップＳＴ５で、ミストノズル用の電磁弁２ｅ＝ＯＦＦする。例えば、電磁弁駆動部を通じて電磁弁２ｄに印加されていた所定の駆動電圧を０［Ｖ］にしてバルブを閉状態となされる。次に、電源部ユニット２Ｂは、ステップＳＴ６で排水用の電磁弁２ｆ＝ＯＦＦする。例えば、電磁弁駆動部を通じて電磁弁２ｆに印加されていた所定の駆動電圧を０［Ｖ］にしてバルブを閉状態となされる。これにより、図３Ｃに示したように電磁弁ユニット内の全ての電磁弁２ｄ、２ｅ及び２ｆが閉じた状態となされる。
【００４７】
このように、本発明に係る電磁弁ユニット２Ａによれば、電源部ユニット２Ｂは、電磁弁２ｆが閉じられ、かつ、給湯装置４からの温水Ｉが電磁弁２ｅを通じて噴出されている状態において、給湯装置４からの温水Ｉの供給を停止する命令があったとき、給湯用の電磁弁２ｄを閉じた後に、排水用の電磁弁２ｆを開き、その後、ミストノズル用の電磁弁２ｅを閉じる制御を実行する。
【００４８】
この制御によって、配管内の残水IIを排水用の電磁弁２ｆを通じてドレンパン１０２ｃへ排水することができ、しかも、排水した分の空気IIIを電磁弁２ｅから引き込むので、電磁弁２ｅからの水ダレがなくなり、配管２ｊ及び２ｋ内での残水を防止できるようになる。
【００４９】
＜ノズルユニット＞
図５Ａ〜Ｃは、ノズルユニット２Ｃの構成例を示す図である。図５Ａは、ノズルユニット２Ｃの正面図、図５Ｂはノズルユニット２Ｃの下側から見た平面図、図５Ｃはノズルユニット２Ｃの側面図を各々示している。
【００５０】
図５Ａに示すノズルユニット２Ｃは、ミストを噴出するためのノズル２ｍを長手方向の下部に複数個、ここでは図５Ｂに示すように、３個直列に配置しており、全体として直方体状の可動部２Ｃaと、この可動部２Ｃaの長手方向の両側にそれぞれ配置された固定部２Ｃb1，２Ｃb2とから構成されている。固定部２Ｃb1，２Ｃb2は、浴室１０１の天井に固定され、可動部２Ｃaを回動可能に軸支している。図５Ｃに示すように、可動部２Ｃaは、回動軸を基準にして左右にスイング可能な構造となされている。
【００５１】
例えば、固定部２Ｃb1は、図示せずも可動部２Ｃaを回動駆動するための、モータ、減速機構等を備えた駆動機構を備えている。この駆動機構により、可動部２Ｃaを回動させ、ノズル２ｍが所定方向に向くように制御することが可能となっている。但し、可動部２Ｃaを回動駆動するための駆動機構を設けず、手動で任意に方向を切替えられる構造としてもよい。
【００５２】
固定部２Ｃb2はノズル配管２ｂ（図１参照）を接続するための接続部２ｎを備えている。この接続部２ｎにノズル配管２ｂから供給される温水Ｉは、図示しない固定部２Ｃb2内の配管及び可動部２Ｃa内の配管を通じて各ノズル２ｍに供給され、ミストとして噴出される。
【００５３】
＜浴室空調装置＞
図６及び図７は、浴室空調装置３の構成例を示す図である。図６は、浴室空調装置３の内部構成例を示す断面図である。
【００５４】
図６に示す浴室空調装置３は、ファン部３２と、熱源としてのヒータ部３３とを備えている。ファン部３２は、本体ケース３４に取り付けられている。ファン部３２は、回転駆動される多翼のファン３５と、このファン３５を回転駆動するモータ３６と、このモータ３６が取り付けられると共に、風路を形成するファンケース３７とを備えている。
【００５５】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【００５６】
風路切換部３９は風路を切換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００５７】
上述の吹出口４１の所定の位置にはヒータ部３３が取り付けられ、排出する空気を加熱するようになされる。ヒータ部３３には、加熱手段を構成する電気ヒータが使用される。吹出口４１から浴室内へ温風を排気することで、ミストの温度低下を防止し、浴室内を暖房するようになされる。
【００５８】
ファンケース３７は、ヒータ部３３の上流側であって、吸込口３８の所定の位置にはイオン発生器４４を備えている。イオン発生器４４は、ダンパ４０を循環位置あるいは循環換気位置に設定することで形成される循環風路４３ａにイオン放出面を露出するようになされる。イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素乃至は水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５９】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで不活化することができる。ここで、・ＯＨは活性種の１種であり、ラジカルのＯＨを示している。
【００６０】
これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を除去して、カビの発生等を抑えることができる。
【００６１】
図７は浴室空調装置３の分解例を示す斜視図である。図７に示す浴室空調装置３は、本体ケース３４からフロントパネル２６が取外し（分解）可能な構造となされている。この例で、本体ケース３４の吸込口３８に対応した部分に、温度検出センサ６９が取り付けられている。この温度検出センサ６９は、浴室１０１の温度を検出するためのものである。
【００６２】
図７において、本体ケース３４は、下面が開口し、吸込口３８と吹出口４１が露出するようにされている。この本体ケース３４の下面開口部に、フロントパネル２６が取り付けられる。フロントパネル２６は、本体ケース３４に着脱可能なように構成されている。
【００６３】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図示しないフィルタ４７が交換可能に取り付けられる。本体ケース３４は、ファン部３２の排気口４２と連通する排気ダクト接続部４８を一の側面に備える。この排気ダクト接続部４８に、図１に示したような排気ダクト８が接続される。
【００６４】
図８Ａ〜Ｃは、浴室空調装置３の動作例を示す図である。図８Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００６５】
また、図８Ａに示すように、ダンパ４０の位置を循環位置にし、モータ３６によりファン３５を回転駆動すると、空気が吸込口３８から吸い込まれ、循環風路４３ａを通り吹出口４１から吹き出す。このとき、ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００６６】
図８Ｂは、ダンパ４０を全開にした状態例を示す断面図である。図８Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００６７】
図８Ｃは、ダンパ４０を循環位置と換気位置の中間位置にした状態例を示す断面図である。図８Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００６８】
続いて、浴室空調装置３の動作例について説明をする。この浴室空調装置３では、例えば、モータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００６９】
ダンパ４０の位置が図８Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００７０】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、モータ３６が回転駆動されると、ヒータ部３３を駆動した場合は、浴室１０１内の空気を循環させながら、浴室１０１内に温風を吹き出させることができる。
【００７１】
ダンパ４０の位置が図８Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、モータ３６が回転駆動されると、浴室１０１内の湯気や湿気が排気される。
【００７２】
ダンパ４０の位置が図８Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される。
【００７３】
これにより、ダンパ４０を循環換気位置として、モータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。
【００７４】
＜ヒートポンプ式の給湯システム＞
図９は、ヒートポンプ式の給湯装置４の構成例を示すブロック図である。図９に示す給湯装置４は、図１に示したミスト発生装置２、浴室１０１、洗面脱衣所１０２、台所１０３等に温水Ｉを供給するものである。
【００７５】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４には、ヒートポンプユニット５３で生成された温水Ｉを貯水するようになされる。例えば、貯湯タンクユニット５４は、３００乃至５００リットルの蓄湯容量を有している。
【００７６】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【００７７】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【００７８】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【００７９】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【００８０】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【００８１】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００８２】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【００８３】
また、タンク６０には取水配管６２と給水配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【００８４】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【００８５】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【００８６】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切換えて、給湯配管６５から供給される温水Ｉの温度を調整する。常温の水を排出することもできる。
【００８７】
給湯配管６５は、図１に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【００８８】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【００８９】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【００９０】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【００９１】
また、水熱交換器５６で熱交換されて生成された温水Ｉは、温水配管６１ａによりタンク６０に戻される。これにより、タンク６０は、上部側が温度が高く、下部側が温度の低い二層化した状態で温水Ｉと水が貯水される。タンク６０に貯水された温水Ｉは、取水配管６２により取水される。ここで、切換弁６２ｃにより、供給温水の温度が高い場合は高温部取水配管６２ａから温水Ｉが取られ、供給温水の温度が低い場合は中温部取水配管６２ｂから温水Ｉを取られる。
【００９２】
取水配管６２により取水された温水Ｉは、分岐給水配管６３ｂから供給される水と給湯混合弁６４で混合される。給湯混合弁６４で温水Ｉと水の混合比を切換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。
【００９３】
＜空調リモコン、ミストリモコン＞
図１０は、ミストリモコン（ミスト操作部）７の操作面の構成例を示す正面図である。
図１０に示すミストリモコン７は、入浴ミストモードの運転及び運転停止を選択する入浴ミストボタン７ｂを備えている。このボタン７ｂに対応して、その上部には、当該モードの選択時に発光制御されるＬＥＤ(Light Emitting Diode)等の発光素子７ｂ′が設けられている。また、ミストリモコン７には、入浴ミストモードの運転を停止する運転停止ボタン７ｄが備えられている。運転停止ボタン７ｄの上部には、運転停止中を示す発光素子７ｄ′が設けられている。
【００９４】
図１１は、空調リモコン（主操作部）６の操作面の構成例を示す正面図である。図１１に示す空調リモコン６は、入浴ミストモードの運転及び運転停止を選択する入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【００９５】
また、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【００９６】
また、空調リモコン６は、時刻、浴室温度、運転モード等を表示する、ＬＣＤ（液晶表示素子）やセグメントＬＥＤ等で構成される表示素子６ｉと、タイマーの時間設定等を行うためのアップダウンキー６ｊとを備えている。主操作部６で操作され指示される情報は、操作信号Ｓ６となって電源部ユニット２Ｂに出力される。
【００９７】
＜浴室空調装置及びミスト発生装置の制御系＞
図１２は、浴室空調装置３及びミスト発生装置２の制御系の構成例を示すブロック図である。
【００９８】
図１２に示す浴室空調装置３は、ＣＰＵ(Central Processing Unit)を有する制御部５Ａを備えている。上述した空調リモコン６は、電気ケーブル６ａを介して、この浴室空調装置３の制御部５Ａに接続されている。この例で、空調リモコン６から制御部５Ａには、電気ケーブル６ａを介して、操作信号Ｓ６が出力される。制御部５Ａには、上述したように、吸込口３８に対応して取り付けられた、浴室１０１内の温度を検出するための温度検出センサ６９が接続される。温度検出センサ６９から制御部５Ａには、温度検出信号Ｓ６９が出力される。
【００９９】
この制御部５Ａには、上述したように、浴室空調装置３のフロントパネル２６に取り付けられた人体検出センサ６９Ａが接続される。人体検出センサ６９Ａから制御部５Ａには、人体検出信号Ｓ６９ａが出力される。
【０１００】
また、この制御部５Ａには、浴室照明スイッチ６９Ｂから、このスイッチがオンされたか否かを示す信号Ｓ６９ｂが供給される。この制御部５Ａから、モータ３６、ダンパモータ４０ｃ、ヒータ部３３及びイオン発生器４４に、動作を制御するための制御信号Ｓ３６、Ｓ４０ｃ、Ｓ３３及びＳ４４が供給される。
【０１０１】
図１２に示す電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータを駆動するための直流電圧等を生成する。
【０１０２】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、ＤＣ２４［Ｖ］の駆動電圧が印加されることでバルブが開状態となされる。駆動電圧＝０［Ｖ］で電磁弁２ｄ，２ｅ，２ｆの各々のバルブが閉状態となされる。
【０１０３】
制御部２Ｂｃには、上述したように、電磁弁ユニット２Ａに取り付けられた温度検出センサ２ｈが接続される。この例で、温度検出センサ２ｈから制御部２Ｂｃには温度検出信号Ｓ２ｈが出力される。上述したミストリモコン７は、電気ケーブル７ａを介して、この電源部ユニット２Ｂの制御部２Ｂｃに接続されている。ミストリモコン７から制御部２Ｂｃには電気ケーブル７ａを介して操作信号Ｓ７ａが出力される。この制御部２Ｂｃは、電磁弁駆動部２Ｂｂの動作を制御し、また電源部２Ｂａで生成される直流電圧を用いて、ノズルユニット２のノズル２ｍの方向を制御する。
【０１０４】
また、浴室空調装置３の制御部５Ａと電源部ユニット２Ｂの制御部２Ｂｃとは互いに接続され、浴室空調装置３とミスト発生装置２との連係動作が可能となされている。例えば、制御部５Ａから制御部２Ｂｃへ通信制御信号Ｓ５ａを出力して、空調リモコン６で指定された内容に基づいてミスト運転を実行する。反対に、制御部２Ｂｃから制御部５Ａへ通信制御信号Ｓ５ａを出力して、ミストリモコン７で指定された内容に基づいて空調運転を実行するようにしてもよい。
【０１０５】
続いて、浴室ユニット１の動作例について説明する。この例で、浴室ユニット１の動作例に関しては、入浴ミストモード、換気標準モード、浴室乾燥モード、暖房モード、涼風モード及び衣類乾燥モードの６つに分けて説明をする。
【０１０６】
＜入浴ミストモードの動作＞
図１３は、この入浴ミストモードの動作例を示すフローチャートである。この例では、ミストリモコン７で、入浴ミストボタン７ｂが押されて入浴ミストオンとされたとき、あるいは空調リモコン６で、入浴ミストボタン６ｂが押されて入浴ミストオンとされたとき、入浴ミストモードとなり、このモードの動作が開始される。なお、入浴ミストオフとなったか、あるいは停止が指示されたときは、ミスト発生装置２に関しては、直ちに排水制御に移行して水抜き処理を行うものである。
【０１０７】
これらを動作条件にして、図１３に示すフローチャートのステップＳＴ２１で入浴ミストオンとされることで、動作が開始される。次に、ステップＳＴ２２で、浴室空調装置３のヒータ部３３が通電され、このヒータ部３３が加熱される。また、浴室空調装置３のモータ３６が通電され、ファン３５が回転する。この場合、ダンパ４０は全閉、つまり循環位置（図８Ａ参照）とされる。
【０１０８】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。
【０１０９】
次に、ステップＳＴ２３で、ノズルユニット２Ｃが制御され、ノズル２ｍが浴槽１０１ｂ側に向くように回動される。これにより、人の頭にミストがかからないようにされる。
【０１１０】
次に、ステップＳＴ２４で、排水処理が行われる。この場合、電磁弁ユニット２Ａにおいて、給湯用の電磁弁２ｄ及び排水用の電磁弁２ｆが開かれる（図２参照）。給湯装置４から給水配管２ａで供給される温水Ｉは、電磁弁２ｄ及び電磁弁２ｆを介して、ドレン配管２ｃに供給される（図１、図２参照）。
【０１１１】
次に、ステップＳＴ２５で、電磁弁ユニット２Ａ内に配設された温度検出センサ２ｈの検出出力に基づいて、給水配管２ａを介して電磁弁ユニット２Ａに供給される温水Ｉの温度が所定値以上、例えば３５゜以上となったか否か判定される。温度が所定値以上となった後に、ステップＳＴ２６に進む。
【０１１２】
このステップＳＴ２６では、ミスト発生処理が行われる。このように、電磁弁ユニット２Ａに供給される温水Ｉの温度が所定値以上となった後にミスト発生処理が行われるようにすることで、浴室１０１中に存在する人が、ミストによって肌寒さを感じないようにされる。
【０１１３】
この場合、電磁弁ユニット２Ａにおいて、電磁弁２ｆは閉じられ、ノズルユニット用の電磁弁２ｅが開かれる。このとき、給湯装置４から給水配管２ａで供給される温水Ｉは、電磁弁２ｄ及び電磁弁２ｅを介して、ノズル配管２ｂに供給される（図１〜図３Ａ参照）。
【０１１４】
次に、ステップＳＴ２７で、入浴ミストボタン７ｂ又は６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ２８に進む。このステップＳＴ２８では、浴室空調装置３の動作が停止される。すなわち、浴室空調装置３のヒータ部３３及びモータ３６への通電が止められる。
【０１１５】
そして、ステップＳＴ２９で、排水制御を実行して水抜き処理がなされる。この場合、電磁弁ユニット２Ａにおいて、給湯用の電磁弁２ｄが閉じられ、排水用の電磁弁２ｆが開かれる（図３Ｂ参照）。これにより、ノズル配管２ｂに残っている温水Ｉは、電磁弁２ｅ及び２ｆを介して、ドレン配管２ｃに排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水（温水）IIを電磁弁２ｆを通じてドレンパン１０１ｃへ排出することができる。（図１、図３Ｂ参照）。
【０１１６】
そして、ステップＳＴ２１０で、水抜き処理に必要な所定時間、例えばｔ＝３秒が経過したか否かが判定される。所定時間が経過したときは、ステップＳＴ２１１に進む。このステップＳＴ２１１では、停止処理が行われる。この場合、電磁弁ユニット２Ａにおいて、電磁弁２ｅ及び電磁弁２ｆが閉じられる（図３Ｃ参照）。なおこのとき、ノズルユニット２Ｃも制御され、ノズル２ｍの向きが元の位置に戻される。この停止処理によって、ステップＳＴ２１２で、入浴ミストモードの一連の動作が終了する。
【０１１７】
なお、ステップＳＴ２３を設けなくてもよい。また、ノズル２ｍを洗い場１０１ｅに向けることでミストが人の体にかかるようにしても良く、さらには、空調リモコン６や、ミストリモコン７に図示しない操作ボタンを設け、ノズル２ｍの方向を選択できるようにしてもよい。
【０１１８】
＜換気標準モードの動作＞
図１４は、換気標準モードの動作例を示すフローチャートである。この例では、空調リモコン６で、換気ボタン６ｇが押されて換気標準オンとされたとき、換気標準モードとなり、このモードの動作が開始される。例えば、図１４に示すフローチャートのステップＳＴ５１では、換気標準オンとされることで、動作が開始される。
【０１１９】
次に、ステップＳＴ５２で、浴室空調装置３のモータ３６に通電され、ファン３５が回転される。この場合、ダンパ４０を全開、つまり換気位置（図８Ｂ参照）とされる。
【０１２０】
この場合、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される（換気運転）。これにより、浴室１０１内の湯気や湿気が排気される。
【０１２１】
次に、ステップＳＴ５３で、タイマー設定時間が経過したか否かが判定される。このタイマー設定時間は、例えば空調リモコン６のアップダウンキー６ｊによりユーザが任意に設定できる。設定時間が経過したときは、ステップＳＴ５４で、浴室空調装置３のファン換気運転の動作が停止され、その後に、ステップＳＴ５５で、換気標準モードの一連の動作が終了する。
【０１２２】
＜浴室乾燥モードの動作＞
図１５は、浴室乾燥モードの動作例を示すフローチャートである。この例では、空調リモコン６で、換気ボタン６ｇが押されて浴室乾燥オンとされるとき、浴室乾燥モードとなり、このモードの動作が開始される。例えば、図１５に示すフローチャートのステップＳＴ８１では、浴室乾燥オンとされることで、動作が開始される。
【０１２３】
次に、ステップＳＴ８２で、浴室空調装置３のモータ３６に通電され、ファン３５が回転される。この場合、ダンパ４０は、循環位置と換気位置の中間位置、つまり循環換気位置（図８Ｃ参照）とされる。
【０１２４】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湯気や湿気が排気される。
【０１２５】
また、このステップＳＴ８２で、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制できる。
【０１２６】
次に、ステップＳＴ８３で、タイマー設定時間が経過したか否かが判定される。このタイマー設定時間は、例えば空調リモコン６のアップダウンキー６ｊによりユーザが任意に設定できる。設定時間が経過したときは、ステップＳＴ８４で、浴室空調装置３の循環換気運転、イオン発生の動作が停止され、その後に、ステップＳＴ８５で、浴室乾燥モードの一連の動作が終了する。
【０１２７】
＜暖房モードの動作＞
図１６は、暖房モードの動作例を示すフローチャートである。この例では、空調リモコン６で、暖房ボタン６ｆが押されて暖房オンとされるとき、暖房モードとなり、このモードの動作が開始される。例えば、図１６に示すフローチャートのステップＳＴ９１では、暖房オンとされることで、動作が開始される。
【０１２８】
次に、ステップＳＴ９２で、浴室空調装置３のヒータ部３３に通電され、このヒータ部３３が加熱される。また、浴室空調装置３のモータ３６に通電され、ファン３５が回転される。この場合、ダンパ４０は全閉、つまり循環位置（図８Ａ参照）とされる。
【０１２９】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される（循環運転）。これにより、浴室１０１内が暖められる。
【０１３０】
次に、ステップＳＴ９３で、タイマー設定時間が経過したか否かが判定される。このタイマー設定時間は、例えば空調リモコン６のアップダウンキー６ｊによりユーザが任意に設定できる。設定時間が経過したときは、ステップＳＴ９４で、浴室空調装置３の動作が停止される。すなわち、浴室空調装置３のヒータ部３３及びモータ３６への通電が止められる。その後に、ステップＳＴ９５で、暖房モードの一連の動作が終了する。
【０１３１】
＜涼風モードの動作＞
図１７は、涼風モードの動作例を示すフローチャートである。この例では、空調リモコン６で、涼風ボタン６ｅが押されて涼風オンとされるとき、涼風モードとなり、このモードの動作が開始される。例えば、図１７に示すフローチャートのステップＳＴ１１１では、涼風オンとされることで、動作が開始される。
【０１３２】
次に、ステップＳＴ１１２で、浴室空調装置３のモータ３６に通電され、ファン３５が回転される。この場合、ダンパ４０は、循環位置と換気位置の中間位置、つまり循環換気位置（図８Ｃ参照）とされる。
【０１３３】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湯気や湿気が排気される。
【０１３４】
次に、ステップＳＴ１１３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１１４で、浴室空調装置３の循環換気運転の動作が停止され、その後に、ステップＳＴ１１５で、涼風モードの一連の動作が終了する。
【０１３５】
＜衣類乾燥モードの動作＞
図１８は、衣類乾燥モードの動作例を示すフローチャートである。この例では、空調リモコン６で、衣類乾燥ボタン６ｄが押されて衣類乾燥オンとされるとき、衣類乾燥モードとなり、このモードの動作が開始される。例えば、図１８に示すフローチャートのステップＳＴ１３１では、衣類乾燥オンとされることで、動作が開始される。
【０１３６】
次に、ステップＳＴ１３２で、浴室空調装置３のヒータ部３３に通電され、このヒータ部３３が加熱される。また、浴室空調装置３のモータ３６に通電され、ファン３５が回転される。この場合、ダンパ４０は、循環位置と換気位置の中間位置、つまり循環換気位置（図８Ｃ参照）とされる。
【０１３７】
この場合、ファン部３２において吸込口３８から吹出口４１への循環風路４３ａ及び吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湿気が排気され、衣類の乾燥が行われる。
【０１３８】
次に、ステップＳＴ１３３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１３４で、浴室空調装置３の循環換気運転の動作が停止され、その後に、ステップＳＴ１３５で、衣類乾燥モードの一連の動作が終了する。
【０１３９】
このように、第１の実施例としての浴室システム１によれば、本発明に係る電磁弁ユニット２Ａが応用される。これを前提にして、電磁弁２ｄは、給湯装置４からの温水Ｉ又は水をミストノズル用の電磁弁２ｅや排水用の電磁弁２ｆへ供給するように制御される。電磁弁２ｅは、電磁弁２ｄから分岐された一方の配管２ｊに接続され、電磁弁２ｄからの温水Ｉを噴出するように制御される。電磁弁２ｆは、電磁弁２ｅよりも低い位置に配設されると共に、電磁弁２ｄから分岐された他方の配管２ｋに接続されている。電源部ユニット２Ｂは、電磁弁２ｆが閉じられ、かつ、給湯装置４からの温水Ｉが電磁弁２ｄ及び２ｅを通じて噴出されている状態において、給湯装置４からの温水供給を停止する入力により、電磁弁２ｄを閉じた後に、電磁弁２ｆを開き、その後、電磁弁２ｅを閉じる制御を実行する。
【０１４０】
この制御によって、電磁弁２ｄを閉じ後の配管内の温水Ｉを排水用の電磁弁２ｆを通じて排水することができ、しかも、排水した分の空気IIIをミストノズル用の電磁弁２ｅから引き込むので、ノズルユニット２Ｃからの水ダレがなくなり、配管内の残水を防止できるようになる。
【実施例２】
【０１４１】
図１９は、第２の実施例としてのミスト発生装置２の他の排水構造例を示す概念図である。  
この実施例では、ミスト発生装置２が天井裏ではなく、浴室内に設けられるものである。図１９に示すミスト発生装置２は、浴槽側面の裏側所定位置に配設される。例えば、浴槽１０１ｂの側面には、浴槽正面から見えない位置であって、ミスト発生装置２が取り付け可能なユニット格納スペース５が浴室１０１の壁側に沿って設けられている。ミスト発生装置２は、ユニット格納スペース５において、浴室１０１の壁側床に据え置くようになされる。
【０１４２】
ミスト発生装置２は電磁弁ユニット２Ａ”を有している。電磁弁ユニット２Ａ”には給水配管２Ａ”、ノズル配管２ｂ及びドレン配管２ｃが接続されている。給水配管２ａは、浴室１０１の壁を貫いて図示しない外部の給湯装置４に接続される。ドレン配管２ｃも、浴室１０１の壁を貫いて図示しない外部の排水設備に至るように施工される。ノズル配管２ｂは、浴室内に設けられたノズルユニット２Ｃに接続される。
【０１４３】
この例で、ノズルユニット２Ｃは、浴室内の壁面の低い位置、例えば、浴槽１０１ｂに当該ノズルユニット２Ｃの一部がかかる位置であって、ユニット本体が長手方向（縦方向）に取り付けられる。電源部ユニット２Ｂは、第１の実施例と同様にして、浴室１０１の天井裏に配置される。電磁弁ユニット２Ａ”と電源部ユニット２Ｂとは、電気ケーブル７ａ及び８０ａを介して接続される。電気ケーブル７ａ及び８０ａは、例えば、浴室側面の裏側に配線される。これにより、ミスト発生装置２の電磁弁ユニット２Ａ”及び電源部ユニット２Ｂが構成される。
【０１４４】
図２０は、電磁弁ユニット内の他の配管例を示す概念図である。図２０に示す電磁弁ユニット２Ａ”は、図１９に示した床置きタイプのミスト発生装置２に適しており、筐体２Ａ′を有している。この例でも、筐体２Ａ′の一側面を開放すると、電磁弁ユニット内の電磁弁２ｄ、２ｅ及び２ｆの配置が見られる構成となされている。
【０１４５】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。この例で、電磁弁ユニット２Ａ”を基準面の置いたとき、基準面からの高さＨ１には接続部２ｃ′が取り付けられ、基準面から高さＨ２には接続部２ａが取り付けられ、基準面から高さＨ３には接続部２ｂ′が取り付けられている。三者の高さの関係は、Ｈ３＞Ｈ２＞Ｈ１である。すなわち、３つの接続部２ａ′〜２ｃ′は、接続部２ａ′、接続部２ｂ′、接続部２ｃ′の順に高い位置から取り付けられる。
【０１４６】
この例で、筐体２Ａ′の内側において、接続部２ａ′には給水又は給湯用の電磁弁２ｄが取り付けられ、給湯装置４からの水又は温水を供給するようになされる。この電磁弁２ｄに接続された配管２ｉは、Ｔ字状に分岐される。その一方の配管２ｊ′には、ミストノズル用の電磁弁２ｅが取り付けられ、水又は温水をノズルユニット２Ｃへ供給するようになされる。電磁弁２ｅの下流側（他端）は接続部２ｂ′に取り付けられる。電磁弁２ｅよりも低い位置には、排水用の電磁弁２ｆが配設されると共に、配管２ｉから分岐された他方の配管２ｋ′に取り付けられ、水を排水するようになされる。電磁弁２ｆの下流側（他端）は接続部２ｃ′に取り付けられる。
【０１４７】
これにより、第１の実施例と同様にして、高さＨ１の接続部２ｃ′に接続された電磁弁２ｆと、高さＨ２で接続部２ａ′に接続された電磁弁２ｄと、高さＨ３で接続部２ｂ′に接続された電磁弁２ｅとの三者の高さの関係をＨ３＞Ｈ２＞Ｈ１とすることができる。すなわち、３つの電磁弁を電磁弁２ｅ、電磁弁２ｄ及び電磁弁２ｆの順に高い位置から配設することができる。
【０１４８】
なお、電磁弁ユニット２Ａ”の内部には、電磁弁２ｄ，２ｅ，２ｆの他に、温度検出センサ２ｈが配されている。温度検出センサ２ｈは、配管２ｉに取り付けられており、電磁弁２ｄを通過した後の配管２ｉを流れる水（温水）の温度を検出して温度検出信号Ｓ７を出力するようになされる。温度検出信号Ｓ７は、温度検出センサ２ｈから電源部ユニット２Ｂへ出力される。
【０１４９】
第１の実施例では、配管２ｊの分岐点に立ち上がり部分があっても、ドレン配管２ｃが長いので、自然落下を利用した排水処理ができる。第２の実施例では、配管２ｉの分岐点に至るまでに立ち上がり部分が無いので、ドレン配管２ｃを短くした場合でも、第１の実施例と同様にして電磁弁ユニット内の残水を排水処理できるようになる。
【実施例３】
【０１５０】
図２１乃至図２４は、第３の実施例としての細霧化用のミスト発生装置２Ｅの構成例を示す図である。図２１はミスト発生装置２Ｅの構成例を示す下面側から見た平面図である。
【０１５１】
図２１に示すミスト発生装置２Ｅは、ミストノズル１１Ａ、供給制御弁装置１２、軸流ファン部１３及び本体ケース１４を備えて構成される。
【０１５２】
ミストノズル１１Ａは、ノズル取付部２１に取り付けられ、温水Ｉの供給を受けてミストを生成するようになされる。ミストノズル１１Ａには供給制御弁装置１２が接続され、ミストノズル１１Ａに対する温水Ｉ又は水の供給を切換えるように制御する。供給制御弁装置１２は第１の実施例で説明した管路切換えユニットが応用され、図示しない給湯（水）配管２ａ及びドレン配管２ｃを接続して使用される。
【０１５３】
この例で、供給制御弁装置１２から４個のミストノズル１１Ａに至る部分がノズル配管２ｂに相当する。供給制御弁装置１２の下方には軸流ファン部１３が設けられ、ミストノズル１１Ａで生成したミストを細霧化して吹き出すようになされる。ミスト発生装置２Ｅは本体ケース１４を備え、軸流ファン部１３により細霧化されたミストの噴出を行うための風路を形成する。
【０１５４】
軸流ファン部１３は、モータ１５と、モータ１５に回転駆動されるプロペラファン１６を備える。モータ１５は、軸１５ａが縦向きに配置される。プロペラファン１６は、複数枚の羽根１６ａが所定の取り付け角で取り付けられる。プロペラファン１６は、例えば４枚の羽根１６ａを備え、隣接する各羽根１６ａの端部が軸方向には所定の間隔を有し、回転方向には重なり部１６ｂを有する形態である。これにより、プロペラファン１６は、軸方向から見て各羽根１６ａの間には隙間が形成されない形態である。
【０１５５】
軸流ファン部１３は、プロペラファン１６がモータ１５の軸１５ａに取り付けられ、プロペラファン１６がモータ１５によって回転駆動されることで、ミストを含む空気がプロペラファン１６に対して軸方向から流入し、軸方向へ流出する。ミストノズル１１Ａは、温水Ｉ又は水等の供給を受け、霧状にして噴出する。ミストノズル１１Ａは、軸流ファン部１３のプロペラファン１６が回転駆動されることにより発生する空気の流れる方向に対して上流側で、プロペラファン１６の羽根１６ａの回転軌跡に沿った位置に配置され、プロペラファン１６の羽根１６ａに向けてミストを噴出する。
【０１５６】
ミストノズル１１Ａとしては、例えばプロペラファン１６の羽根１６ａの枚数と同じ個数が使用され、各ミストノズル１１Ａはプロペラファン１６の羽根１６ａの回転軌跡に沿って等間隔で配置される。これにより、ミストノズル１１Ａは、プロペラファン１６の各羽根１６ａの間隔と同間隔で円周上に並んで配置される。
【０１５７】
図２２は図２１に示したミスト発生装置２ＥのＡ−Ａ矢視断面例を示す構成図である。図２２に示す本体ケース１４は、例えば直方体形状の外形を有し、内部が円筒形状の風路形成壁部１７で仕切られている。風路形成壁部１７は、上端が本体ケース１４の天井部分の下面と繋がる。また、風路形成壁部１７は、外周面の一部が本体ケース１４の対向する一方の２側面と繋がる。さらに、風路形成壁部１７は、外周面の一部が本体ケース１４の対向する他方の２側面と２本ずつの仕切り壁部１７ａを介して繋がる。これにより、風路形成壁部１７は、本体ケース１４の対向する一方の２側面と、４枚の仕切り壁部１７ａによって外周面が支持される。なお、仕切り壁部１７ａの間にリブ１７ｂを設けて、さらに風路形成壁部１７の外周面を支持する構成としても良い。
【０１５８】
本体ケース１４は、風路形成壁部１７の内側に第１の吹出風路１８を備えると共に、風路形成壁部１７の外側に第２の吹出風路１９と吸込風路２０を備える。吹出風路１８は、外周が風路形成壁部１７で仕切られた円筒形状の空間として形成される。また、吹出風路１９は、風路形成壁部１７の周囲で、例えば吹出風路１８を挟んで対向する２箇所に形成される。さらに、吸込風路２０は、風路形成壁部１７の周囲で、吹出風路１９と仕切り壁部１７ａで仕切られた例えば４箇所に形成される。
【０１５９】
本体ケース１４は、吹出風路１８に軸流ファン部１３が取り付けられる。すなわち、本体ケース１４は、吹出風路１８の天井部分の上面に軸流ファン部１３のモータ１５が取り付けられる。モータ１５の軸１５ａは、吹出風路１８の天井部分を貫通して垂直方向に突出し、軸１５ａにプロペラファン１６が取り付けられる。吹出風路１８は、プロペラファン１６の直径より大きな直径を有しており、プロペラファン１６は、吹出風路１８内で回転自在な構成である。
【０１６０】
また、本体ケース１４は、吹出風路１８の天井部分の下面で、モータ１５の軸１５ａの周囲にノズル取付部２１を備え、ノズル取付部２１に上述した所定の配置でミストノズル１１Ａが取り付けられる。なお、吹出風路１８側からモータ１５側への漏水を防ぐため、プロペラファン１６とノズル取付部２１の間の軸１５ａに遮蔽羽根２２を備える。遮蔽羽根２２は、例えば下面が波形状となっている円板で、プロペラファン１６と共に回転する。
【０１６１】
遮蔽羽根２２は、ノズル取付部２１から突出するモータ１５の軸１５ａの根元の部分を覆うことで、プロペラファン１６に当たって上方へと拡散したミスト等をはね返して、モータ１５側への漏水を防ぐ。また、遮蔽羽根２２の下面を波形状とすることで、ミストを拡散して細霧化を促進する。
【０１６２】
また、図２２に示す吹出風路１８と吹出風路１９は、風路形成壁部１７に形成された吹出風路連絡口２４を介して連通する。吹出風路連絡口２４は、プロペラファン１６の取付位置と同等の高さ付近の風路形成壁部１７を貫通して形成され、網状板部２４ａが取り付けられる。網状板部２４ａは、例えば目の細かい金網で構成され、吹出風路連絡口２４を通るミストを細霧化する。
【０１６３】
本体ケース１４は、吹出風路１８の下部が開口して吹出口１８ａが形成されると共に、各吹出風路１９の下部が開口して吹出口１９ａが形成される。これにより、吹出風路１８から吹出風路連絡口２４を介して吹出風路１９と繋がって、吹出口１９ａへ至る風路が形成される。
【０１６４】
また、本体ケース１４は、下部にフロントパネル２６′を備えている。フロントパネル２６′は吹出グリル２６ａを有しており、吹出口１８ａ及び吹出口１９ａと連通して、細霧化されたミストを吹き出すようになされる。なお、本体ケース１４は、フロントパネル２６′を固定するフック部１４ａ等を備えて、フロントパネル２６′が着脱自在に取り付けられる（図２１参照）。
【０１６５】
この例で、ミスト発生装置２Ｅは、例えば吹出口１９ａに補助ミストノズル２７を備え、運転開始段階等で、予備的にミストを吹き出すことができるようにしても良い。補助ミストノズル２７としては、例えば、一方の吹出口１９ａには、ミストの水滴径が細かい補助ミストノズル２７ａを備え、他方の吹出口１９ａには、ミストの水滴径が粗い補助ミストノズル２７ｂを備えて、水滴径の異なるミストを必要に応じて吹き出す構成としてもよい。上述のミストの細霧化方法は、プロペラファンに代えて、径の細かな網状のものを用いてもよい。
【０１６６】
図２３は、図２１に示したミスト発生装置２ＥのＢ−Ｂ矢視断面例を示す構成図である。図２３に示す各吸込風路２０と吹出風路１８とは、風路形成壁部１７に形成された吸込風路連絡口２３を介して連通されている。吸込風路連絡口２３は、プロペラファン１６の取付位置より高い風路形成壁部１７の上部を貫通して形成される。この例で、各吸込風路２０の下部は開口されて吸込口２０ａが形成される。
【０１６７】
ここで、吸込風路２０から吸込風路連絡口２３を通って吹出風路１８に空気が流れる際に、乱流が発生しないように、例えば吸込風路２０の上部を曲面で構成する。このため、例えば、本体ケース１４の上部の４箇所の角部を、径の大きな曲面で構成しても良い。これにより、各吸込口２０ａから各吸込風路２０を通り、吸込風路連絡口２３を介して吹出風路１８と繋がって吹出口１８ａへ至る風路が形成される。なお、フロントパネル２６′は、吸込口２０ａと連通し、空気を吸い込む吸込グリル２６ｂを備えている。
【０１６８】
図２４は図２１に示したミスト発生装置２ＥのＣ−Ｃ矢視断面例を示す構成図である。図２４に示す本体ケース１４は、風路形成壁部１７の下部にドレン部材であるドレンパン２５を備える。ドレンパン２５は、風路形成壁部１７の形状に合わせたリング形状で、風路形成壁部１７の下端が入る溝を有して、風路形成壁部１７の内周面及び外周面を伝わって落ちる水滴を受ける。
【０１６９】
また、ドレンパン２５は、円周方向の１箇所にドレンホース口２５ａを備え、風路形成壁部１７から受けた水をドレンホース口２５ａから排水できる構成である。このため、ドレンパン２５は、ドレンホース口２５ａ側が下がるように傾斜した状態となっている。なお、ドレンパン２５を風路形成壁部１７等に対して着脱自在な構成として、清掃が行えるようにしても良い。
【０１７０】
上述のミスト発生装置２Ｅは、浴室の天井に取り付けられる。もちろん、第１の実施例と同様にして、ミストノズル用の電磁弁２ｅ、給湯用の電磁弁２ｄ及び排水用の電磁弁２ｆの順に高い位置から配設される。この例の管路交換ユニットには、電磁弁ユニット２Ａ又は２Ａ”が使用される。電源部ユニット２Ｂは、天井の裏側に設置するように施工される。
【０１７１】
このように、第３の実施例としての浴室システムに適用されるミスト発生装置２Ｅによれば、本発明に係る管路切換えユニットが応用される。これを前提にして、電源部ユニット２Ｂは、排水用の電磁弁２ｆが閉じられ、かつ、給湯装置４からの温水Ｉが電磁弁２ｄ及び２ｅを通じて４個のミストノズル１１Ａから噴出されている状態において、給湯装置４からの温水供給を停止する入力により、給湯用の電磁弁２ｄを閉じた後に、電磁弁２ｆを開き、その後、電磁弁２ｅを閉じる制御を実行する。
【０１７２】
この制御によって、電磁弁２ｄを閉じた後の配管内の温水Ｉを排水用の電磁弁２ｆを通じて排水することができ、しかも、排水した分の空気IIIを４個のミストノズル１１Ａから引き込むので、細霧化ミスト運転停止後の配管内の残水を防止できるようになる。
【産業上の利用可能性】
【０１７３】
本発明は、給湯装置より供給される温水又は水を噴出する浴室ユニット（ユニットバス）に適用して極めて好適である。
【図面の簡単な説明】
【０１７４】
【図１】本発明に係る第１の実施例としての浴室システム１の構成例を示す断面の概念図である。
【図２】電磁弁ユニット２Ａの構成例を示す正面図である。
【図３】Ａ〜Ｃは、電磁弁ユニット２Ａの動作例を示す線図である。
【図４】電源部ユニット２Ｂにおける制御例を示すフローチャートである。
【図５】Ａ〜Ｃは、ノズルユニット２Ｃの構成例を示す図である。
【図６】浴室空調装置３の内部構成例を示す断面図である。
【図７】浴室空調装置３の分解例を示す斜視図である。
【図８】Ａ〜Ｃは、浴室空調装置３の動作例を示す図である。
【図９】ヒートポンプ式の給湯装置４の構成例を示すブロック図である。
【図１０】ミストリモコン（ミスト操作部）７の操作面の構成例を示す正面図である。
【図１１】空調リモコン（主操作部）６の操作面の構成例を示す正面図である。
【図１２】浴室空調装置、ミスト発生装置の制御系の構成例を示すブロック図である。
【図１３】入浴ミストモードの動作例を示すフローチャートである。
【図１４】換気標準モードの動作例を示すフローチャートである。
【図１５】浴室乾燥モードの動作例を示すフローチャートである。
【図１６】暖房モードの動作例を示すフローチャートである。
【図１７】涼風モードの動作例を示すフローチャートである。
【図１８】衣類乾燥モードの動作例を示すフローチャートである。
【図１９】第２の実施例としてのミスト発生装置２の他の排水構造例を示す概念図である。
【図２０】電磁弁ユニット内の他の配管例を示す概念図である。
【図２１】第３の実施例としての細霧化用のミスト発生装置２Ｅの構成例を示す底面側から見た平面図である。
【図２２】図２１に示したミスト発生装置２ＥのＡ−Ａ矢視断面例を示す構成図である。
【図２３】図２１に示したミスト発生装置２ＥのＢ−Ｂ矢視断面例を示す構成図である。
【図２４】図２１に示したミスト発生装置２ＥのＣ−Ｃ矢視断面例を示す構成図である。
【符号の説明】
【０１７５】
１・・・浴室システム、２，２Ｅ・・・ミスト発生装置、２Ａ，２Ａａ，２Ａｂ・・・電磁弁ユニット、２Ａ′・・・筐体、２Ｂ・・・電源部ユニット、２Ｃ・・・ノズルユニット、２ａ・・・給水配管、２ｂ・・・ノズル配管、２ｃ・・・ドレン配管、２ａ′〜２ｃ′・・・接続部、２ｄ〜２ｆ・・・電磁弁、２ｈ・・・温度検出センサ、２ｉ〜２ｋ・・・配管、３・・・浴室空調装置、４・・・給湯装置、６・・・主操作部（空調リモコン）、６ａ，７ａ，８０ａ・・・電気ケーブル、７・・・ミスト操作部（ミストリモコン）、７ａ・・・電気ケーブル、８・・・排気ダクト、２６，２６′・・・フロントパネル、６９・・・温度検出センサ、６９Ａ・・・人体検出センサ、６９Ｂ・・・浴室照明スイッチ、１０１・・・浴室、１０１ａ・・・点検口、１０１ｂ・・・浴槽、１０１ｃ・・・ドレンパン
【図１】
0004725274.tif 000002
【図２】
0004725274.tif 000003
【図３】
0004725274.tif 000004
【図４】
0004725274.tif 000005
【図５】
0004725274.tif 000006
【図６】
0004725274.tif 000007
【図７】
0004725274.tif 000008
【図８】
0004725274.tif 000009
【図９】
0004725274.tif 000010
【図１０】
0004725274.tif 000011
【図１１】
0004725274.tif 000012
【図１２】
0004725274.tif 000013
【図１３】
0004725274.tif 000014
【図１４】
0004725274.tif 000015
【図１５】
0004725274.tif 000016
【図１６】
0004725274.tif 000017
【図１７】
0004725274.tif 000018
【図１８】
0004725274.tif 000019
【図１９】
0004725274.tif 000020
【図２０】
0004725274.tif 000021
【図２１】
0004725274.tif 000022
【図２２】
0004725274.tif 000023
【図２３】
0004725274.tif 000024
【図２４】
0004725274.tif 000025